(57)【要約】【課題】衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の装身具を提供することを目的としている。【解決手段】所定の長さを有する装身具本体と、この装身具本体の背面の一方の側に取り付けた軸受部と、この軸受部に回転軸を介して軸着したピンと、ピンの軸着位置の後部に形成したピンを操作するレバーと、回転軸に巻回されてその両端で、上記レバーと装身具本体との間を押圧するバネと、装身具本体の背面の上記軸着部とは他方の側に取り付けたピン先端を装身具本体の背面と所定の間隔を保持するよう受け止める支持台とを有することを特徴とするブローチ等の装身具。【選択図】      図６
0003111171.tif 000002
【実用新案登録請求の範囲】
【請求項１】
所定の長さを有する装身具本体と、この装身具本体の背面の一方の側に取り付けた軸受部と、この軸受部に回転軸を介して軸着したピンと、ピンの軸着位置の後部に形成したピンを操作するレバーと、回転軸に巻回されてその両端で、上記レバーと装身具本体との間を押圧するバネと、装身具本体の背面の上記軸着部とは他方の側に取り付けたピン先端を装身具本体の背面と所定の間隔を保持するよう受け止める支持台とを有することを特徴とするブローチ等の止め具。
【請求項２】
支持台が、ピンの先端を収容するＵ字溝を備えていることを特徴とする請求項１に記載のブローチ等の止め具。
【請求項３】
支持台が、ピンの先端を収容するフック部を備えていることを特徴とする請求項１に記載のブローチ等の止め具。
【請求項４】
支持台が、ピンの先端を収容する風車金具を備えていることを特徴とする請求項１に記載のブローチ等の止め具。
【請求項５】
支持台が、ピンの先端を収容する鉄砲金具を備えていることを特徴とする請求項１に記載のブローチ等の止め具。
【考案の詳細な説明】
【技術分野】
【０００１】
この考案は、ブローチ等のようにピンで衣服等に装着するためのブローチ等の止め具に関する。
【背景技術】
【０００２】
一般のブローチは、ピンを衣服に刺してピンの先端部をブローチの裏面に設けた止め具に係合させて装着している。この従来例を具体的に説明すると、いわゆる風車方式と鉄砲方式とが知られている。
【０００３】
前者の風車方式の止め具は、ブローチの裏面の一部に、フックを設け、このフックに風車片を回動自在に設け、ブローチの裏面に端部を枢着したピンの先端部をフックに係合し、次いで、風車片を回動させてフックの開口部をこの風車片により塞いでピンを取り付けるものである。
【０００４】
後者の鉄砲方式の止め具は、ブローチの裏面の一部に筒部材を設け、この筒部材の内部に板ばねを介してシリンダ筒を進退自在に設け、このシリンダ筒を筒部材の内部に押圧した状態で、ブローチの裏面に端部を枢着したピンの先端部をシリンダ筒の中央に挿入した後に離すと板ばねの弾発力によりピンがシリンダ筒の内部に挿入されて止着されるものである。
【０００５】
しかしながら、上記いずれの止め具も風車片やシリンダ筒を操作する必要があり、衣服への取り付けを両手で面倒な操作をしなければならず、衣服への取り付けに手間がかかるという問題があった。
そこで、安全ピンのようにコイル状のバネを備えたピンを装身具本体の背面に取り付けるとともに、常態では開いているピンを閉じた場合に係合するフックを、装身具本体の背面ピン先端位置に設けたブローチも知られている。
【０００６】
ところが安全ピン式の止め具においても、ピンの先端が常に外側を向いていて指や肌を刺すという危険があり、衣服に刺し通してフックに引っ掛ける場合に、ピンのコイル状のバネに抗して衣服に刺し通したピンをその基端側で押さなければならず、非常に操作がしにくいという問題があった。
そのため、実開昭５２−１６５７０５号公報（特許文献１参照）に記載の考案のように、クリップ式のタイ止めのように、コイル状のバネ部を備えたピンを装身具本体の背面に取り付けるとともに、ピンの軸着位置の後部に設けたピンを操作するレバーと装身具本体の背面との間を押圧するバネを設け、ピンを衣服の所定位置に刺し通したのち、クリップ式のタイ止めのようにピンとすべり止めの歯との間で挟み付けるようにしたブローチも知られている。
【特許文献１】実開昭５２−１６５７０５号公報
【考案の開示】
【考案が解決しようとする課題】
【０００７】
しかしながら、実開昭５２−１６５７０５号公報（特許文献１参照）記載の方式では、クリップ式のタイ止めのようにピンとすべり止めの歯との間で挟み付けるようにしているため、使用中に外れやすく、しかも衣服にピンの孔のみならず、すべり止めの歯の跡がついたり、擦り傷がついてしまうという問題があった。
【０００８】
この考案は、上記の従来の課題を解決するために鋭意研究の結果、開発に至ったものであり、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の止め具を提供することを目的としている。
【課題を解決するための手段】
【０００９】
上記の目的を達成するため、この考案のブローチ等の止め具は、所定の長さを有する装身具本体と、この装身具本体の背面の一方の側に取り付けた軸受部と、この軸受部に回転軸を介して軸着したピンと、ピンの軸着位置の後部に形成したピンを操作するレバーと、回転軸に巻回されてその両端で、上記レバーと装身具本体との間を押圧するバネと、装身具本体の背面の上記軸着部とは他方の側に取り付けたピン先端を装身具本体の背面と所定の間隔を保持するよう受け止める支持台とを有することを特徴とするものである。
【００１０】
この考案のブローチ等の止め具は、上記支持台が、ピンの先端を収容するＵ字溝を備えていることをも特徴とするものである。
【００１１】
この考案のブローチ等の止め具は、上記支持台が、ピンの先端を収容するフック部を備えていることをも特徴とするものである。
【００１２】
この考案のブローチ等の止め具は、上記支持台が、ピンの先端を収容する風車金具を備えていることをも特徴とするものである。
【００１３】
この考案のブローチ等の止め具は、上記支持台が、ピンの先端を収容する鉄砲金具を備えていることをも特徴とするものである。
【考案の効果】
【００１４】
この考案によれば、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の止め具を提供することが可能となった。
【考案を実施するための最良の形態】
【００１５】
以下にこの考案におけるブローチ等の止め具をブローチに適用した実施形態を図面に基いて説明する。
図１はこの考案のブローチ等の止め具の１実施例を示す側面図、図２はその底面図、図３はその正面図、図４はその背面図、図５はピンを開いた状態の概略断面図、図６はピンが閉じた状態の概略断面図、図７はこの考案のブローチ等の止め具の他の実施例を示す側面図である。
【００１６】
図１ないし図４に示したこの考案におけるブローチ等の止め具の１実施例において、１１はマベパール等の装飾体１２を上面に取り付けた装身具本体で、所定の長さを有するように形成されている。
この装身具本体１１には、その背面の一方の側には軸受部１３が取り付けてあり、この軸受部１３に回転軸１４を介してピン１５を軸着するとともに、ピン１５の軸着位置の後部には、ピン１５を操作するレバー１６がピン１５と一体的に形成してある。
【００１７】
上記回転軸１４には、バネ１７がコイル状に回転軸１４に巻回され、その両端が上記軸着位置の近傍において、ピン１５のレバー１６部分と装身具本体１１の背面とに当接されるよう配置されている。したがって、バネ１７はピン１５のレバー１６部分を装身具本体１１の背面から引き離すように押圧するので、ピン１５の先端側は上記軸着位置の反対側において、装身具本体１１の背面に向けて付勢されている。
【００１８】
装身具本体１１の背面の、上記軸着部１３とは所定の間隔で他方の側には、ピン１５の先端を受け止める支持台１８が取り付けてある。この支持台１８は装身具本体１１の背面上において所定の高さを有するように形成されており、ピン１５の先端を装身具本体１１の背面と所定の間隔を保持するよう受け止めるものである。
【００１９】
この考案のブローチ等の止め具においては、上記支持台１８が、ピン１５の先端を収容するＵ字溝１９を備えている。そして上記Ｕ字溝１９は、ピン１５の先端側にＵ字溝１９と直交するよう保護覆い２０をも備えている。
したがって、ピン１５の先端は上記支持台１８上において、Ｕ字溝１９と保護覆い２０とに囲まれるように収容されるので、ピン１５の先端側が上記支持台１８に向けて付勢されていることとあいまって、この考案のブローチ等の止め具によってブローチを衣服に取り付けた場合、ピン１５の先端で指を傷付けたり、衣服を傷付けるおそれがない。
【００２０】
この考案のブローチ等の止め具の使用に際しては、図５に示すように装身具本体１１の後端部分とピン１５のレバー１６部分とを指で挟み付けて、バネ１７の弾性力に抗してピン１５を回動させ、支持台１８上から離れた状態で、このピン１５の先端を衣服２１に刺し通す。
そしてピン１５の先端が衣服２１から突き出した状態において、装身具本体１１の後端部分とピン１５のレバー１６部分とを挟み付けている指を離すと、ピン１５の先端はバネ１７の弾性力で支持台１８に向けて回動し、図６のようにＵ字溝１９と保護覆い２０とに囲まれる形に収容される。
【００２１】
ピン１５を外す場合は、装身具本体１１の後端部分とピン１５のレバー１６部分とを指で挟み付けてピン１５の先端を回動させ、ピン１５を開いた状態で衣服２１から抜き取ればよい。
【００２２】
図７に示したこの考案におけるブローチ等の止め具の他の実施例において、上記支持台３１は、ピン３２の先端を収容する球状の収納部３３を備えている。この球状の収納部３３はピン３２の先端を収納する縦溝３４を備えており、ピン３２を遮断機式に首振りさせて縦溝３４にはめ込み、球状の収納部３３の縦溝３４に直交するよう取付けたレバー３５をまわして抜け止めするものである。その際、ピン３２は回転軸３６によって装身具本体３７とほぼ平行な位置に停止するよう構成されている。この停止手段としては軸受部３８にストッパ３９を設けたり、回転軸３６を部分的に切除して所定の角度のみ回転するようにすること等が採用できる。
また、上記球状の収納部３３に回転可能なレバー３５を組み込んだ風車金具に代えて、筒状の本体に進退自在の内筒を取付けた鉄砲金具等により、ピンの先端を収容するようにしても良い。
【産業上の利用可能性】
【００２３】
以上のことから明らかなように、この考案のブローチ等の止め具は、ピンを用いて装着する装身具には、ブローチ以外にも当然に応用することができる。
【図面の簡単な説明】
【００２４】
【図１】この考案のブローチ等の止め具の１実施例を示す側面図である。
【図２】その底面図である。
【図３】その正面図である。
【図４】その背面図である。
【図５】ピンを開いた状態の概略断面図である。
【図６】ピンが閉じた状態の概略断面図である。
【図７】この考案のブローチ等の止め具の他の実施例を示す側面図である。
【符号の説明】
【００２５】
１１  装身具本体
１２  装飾体
１３  軸受部
１４  回転軸
１５  ピン
１６  レバー
１７  バネ
１８  支持台
１９  Ｕ字溝
２０  保護覆い
２１  衣服
３１  支持台
３２  ピン
３３  球状の収納部
３４  縦溝
３５  レバー
３６  回転軸
３７  装身具本体
３８  軸受部
３９  ストッパ
【図１】
0003111171.tif 000003
【図２】
0003111171.tif 000004
【図３】
0003111171.tif 000005
【図４】
0003111171.tif 000006
【図５】
0003111171.tif 000007
【図６】
0003111171.tif 000008
【図７】
0003111171.tif 000009
【手続補正書】
【提出日】平成17年3月31日(2005.3.31)
【手続補正１】
【補正対象書類名】実用新案登録請求の範囲
【補正対象項目名】全文
【補正方法】変更
【補正の内容】
【実用新案登録請求の範囲】
【請求項１】
所定の長さを有する装身具本体と、この装身具本体の背面の一方の側に取り付けた軸受部と、この軸受部に回転軸を介して軸着したピンと、ピンの軸着位置の後部に形成したピンを操作するレバーと、回転軸に巻回されてその両端で、上記レバーと装身具本体との間を押圧するバネと、装身具本体の背面の上記軸着部とは他方の側に取り付けたピン先端を装身具本体の背面と所定の間隔を保持するよう受け止める支持台とを有することを特徴とするブローチ等の装身具。
【請求項２】
支持台が、ピンの先端を収容するＵ字溝を備えていることを特徴とする請求項１に記載のブローチ等の装身具。
【請求項３】
支持台が、ピンの先端を収容するフック部を備えていることを特徴とする請求項１に記載のブローチ等の装身具。
【請求項４】
支持台が、ピンの先端を収容する風車金具を備えていることを特徴とする請求項１に記載のブローチ等の装身具。
【請求項５】
支持台が、ピンの先端を収容する鉄砲金具を備えていることを特徴とする請求項１に記載のブローチ等の装身具。
【手続補正２】
【補正対象書類名】明細書
【補正対象項目名】全文
【補正方法】変更
【補正の内容】
【考案の詳細な説明】
【技術分野】
【０００１】
この考案は、ブローチ等のようにピンで衣服等に装着するためのブローチ等の装身具に関する。
【背景技術】
【０００２】
一般のブローチは、ピンを衣服に刺してピンの先端部をブローチの裏面に設けた止め具に係合させて装着している。この従来例を具体的に説明すると、いわゆる風車方式と鉄砲方式とが知られている。
【０００３】
前者の風車方式の止め具は、ブローチの裏面の一部に、フックを設け、このフックに風車片を回動自在に設け、ブローチの裏面に端部を枢着したピンの先端部をフックに係合し、次いで、風車片を回動させてフックの開口部をこの風車片により塞いでピンを取り付けるものである。
【０００４】
後者の鉄砲方式の止め具は、ブローチの裏面の一部に筒部材を設け、この筒部材の内部に板ばねを介してシリンダ筒を進退自在に設け、このシリンダ筒を筒部材の内部に押圧した状態で、ブローチの裏面に端部を枢着したピンの先端部をシリンダ筒の中央に挿入した後に離すと板ばねの弾発力によりピンがシリンダ筒の内部に挿入されて止着されるものである。
【０００５】
しかしながら、上記いずれの止め具も風車片やシリンダ筒を操作する必要があり、衣服への取り付けを両手で面倒な操作をしなければならず、衣服への取り付けに手間がかかるという問題があった。
そこで、安全ピンのようにコイル状のバネを備えたピンを装身具本体の背面に取り付けるとともに、常態では開いているピンを閉じた場合に係合するフックを、装身具本体の背面ピン先端位置に設けたブローチも知られている。
【０００６】
ところが安全ピン式の止め具においても、ピンの先端が常に外側を向いていて指や肌を刺すという危険があり、衣服に刺し通してフックに引っ掛ける場合に、ピンのコイル状のバネに抗して衣服に刺し通したピンをその基端側で押さなければならず、非常に操作がしにくいという問題があった。
そのため、実開昭５２−１６５７０５号公報（特許文献１参照）に記載の考案のように、クリップ式のタイ止めのように、コイル状のバネ部を備えたピンを装身具本体の背面に取り付けるとともに、ピンの軸着位置の後部に設けたピンを操作するレバーと装身具本体の背面との間を押圧するバネを設け、ピンを衣服の所定位置に刺し通したのち、クリップ式のタイ止めのようにピンとすべり止めの歯との間で挟み付けるようにしたブローチも知られている。
【特許文献１】実開昭５２−１６５７０５号公報
【考案の開示】
【考案が解決しようとする課題】
【０００７】
しかしながら、実開昭５２−１６５７０５号公報（特許文献１参照）記載の方式では、クリップ式のタイ止めのようにピンとすべり止めの歯との間で挟み付けるようにしているため、使用中に外れやすく、しかも衣服にピンの孔のみならず、すべり止めの歯の跡がついたり、擦り傷がついてしまうという問題があった。
【０００８】
この考案は、上記の従来の課題を解決するために鋭意研究の結果、開発に至ったものであり、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の装身具を提供することを目的としている。
【課題を解決するための手段】
【０００９】
上記の目的を達成するため、この考案のブローチ等の装身具は、所定の長さを有する装身具本体と、この装身具本体の背面の一方の側に取り付けた軸受部と、この軸受部に回転軸を介して軸着したピンと、ピンの軸着位置の後部に形成したピンを操作するレバーと、回転軸に巻回されてその両端で、上記レバーと装身具本体との間を押圧するバネと、装身具本体の背面の上記軸着部とは他方の側に取り付けたピン先端を装身具本体の背面と所定の間隔を保持するよう受け止める支持台とを有することを特徴とするものである。
【００１０】
この考案のブローチ等の装身具は、上記支持台が、ピンの先端を収容するＵ字溝を備えていることをも特徴とするものである。
【００１１】
この考案のブローチ等の装身具は、上記支持台が、ピンの先端を収容するフック部を備えていることをも特徴とするものである。
【００１２】
この考案のブローチ等の装身具は、上記支持台が、ピンの先端を収容する風車金具を備えていることをも特徴とするものである。
【００１３】
この考案のブローチ等の装身具は、上記支持台が、ピンの先端を収容する鉄砲金具を備えていることをも特徴とするものである。
【考案の効果】
【００１４】
この考案によれば、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の装身具を提供することが可能となった。
【考案を実施するための最良の形態】
【００１５】
以下にこの考案におけるブローチ等の装身具をブローチに適用した実施形態を図面に基いて説明する。
図１はこの考案のブローチ等の装身具の１実施例を示す側面図、図２はその底面図、図３はその正面図、図４はその背面図、図５はピンを開いた状態の概略断面図、図６はピンが閉じた状態の概略断面図、図７はこの考案のブローチ等の装身具の他の実施例を示す側面図である。
【００１６】
図１ないし図４に示したこの考案におけるブローチ等の装身具の１実施例において、１１はマベパール等の装飾体１２を上面に取り付けた装身具本体で、所定の長さを有するように形成されている。
この装身具本体１１には、その背面の一方の側には軸受部１３が取り付けてあり、この軸受部１３に回転軸１４を介してピン１５を軸着するとともに、ピン１５の軸着位置の後部には、ピン１５を操作するレバー１６がピン１５と一体的に形成してある。
【００１７】
上記回転軸１４には、バネ１７がコイル状に回転軸１４に巻回され、その両端が上記軸着位置の近傍において、ピン１５のレバー１６部分と装身具本体１１の背面とに当接されるよう配置されている。したがって、バネ１７はピン１５のレバー１６部分を装身具本体１１の背面から引き離すように押圧するので、ピン１５の先端側は上記軸着位置の反対側において、装身具本体１１の背面に向けて付勢されている。
【００１８】
装身具本体１１の背面の、上記軸着部１３とは所定の間隔で他方の側には、ピン１５の先端を受け止める支持台１８が取り付けてある。この支持台１８は装身具本体１１の背面上において所定の高さを有するように形成されており、ピン１５の先端を装身具本体１１の背面と所定の間隔を保持するよう受け止めるものである。
【００１９】
この考案のブローチ等の装身具においては、上記支持台１８が、ピン１５の先端を収容するＵ字溝１９を備えている。そして上記Ｕ字溝１９は、ピン１５の先端側にＵ字溝１９と直交するよう保護覆い２０をも備えている。
したがって、ピン１５の先端は上記支持台１８上において、Ｕ字溝１９と保護覆い２０とに囲まれるように収容されるので、ピン１５の先端側が上記支持台１８に向けて付勢されていることとあいまって、この考案のブローチ等の装身具によってブローチを衣服に取り付けた場合、ピン１５の先端で指を傷付けたり、衣服を傷付けるおそれがない。
【００２０】
この考案のブローチ等の装身具の使用に際しては、図５に示すように装身具本体１１の後端部分とピン１５のレバー１６部分とを指で挟み付けて、バネ１７の弾性力に抗してピン１５を回動させ、支持台１８上から離れた状態で、このピン１５の先端を衣服２１に刺し通す。
そしてピン１５の先端が衣服２１から突き出した状態において、装身具本体１１の後端部分とピン１５のレバー１６部分とを挟み付けている指を離すと、ピン１５の先端はバネ１７の弾性力で支持台１８に向けて回動し、図６のようにＵ字溝１９と保護覆い２０とに囲まれる形に収容される。
【００２１】
ピン１５を外す場合は、装身具本体１１の後端部分とピン１５のレバー１６部分とを指で挟み付けてピン１５の先端を回動させ、ピン１５を開いた状態で衣服２１から抜き取ればよい。
【００２２】
図７に示したこの考案におけるブローチ等の装身具の他の実施例において、上記支持台３１は、ピン３２の先端を収容する球状の収納部３３を備えている。この球状の収納部３３はピン３２の先端を収納する縦溝３４を備えており、ピン３２を遮断機式に首振りさせて縦溝３４にはめ込み、球状の収納部３３の縦溝３４に直交するよう取付けたレバー３５をまわして抜け止めするものである。その際、ピン３２は回転軸３６によって装身具本体３７とほぼ平行な位置に停止するよう構成されている。この停止手段としては軸受部３８にストッパ３９を設けたり、回転軸３６を部分的に切除して所定の角度のみ回転するようにすること等が採用できる。
また、上記球状の収納部３３に回転可能なレバー３５を組み込んだ風車金具に代えて、筒状の本体に進退自在の内筒を取付けた鉄砲金具等により、ピンの先端を収容するようにしても良い。
【産業上の利用可能性】
【００２３】
以上のことから明らかなように、この考案のブローチ等の装身具は、ピンを用いて装着する装身具には、ブローチ以外にも当然に応用することができる。
【図面の簡単な説明】
【００２４】
【図１】この考案のブローチ等の装身具の１実施例を示す側面図である。
【図２】その底面図である。
【図３】その正面図である。
【図４】その背面図である。
【図５】ピンを開いた状態の概略断面図である。
【図６】ピンが閉じた状態の概略断面図である。
【図７】この考案のブローチ等の装身具の他の実施例を示す側面図である。
【符号の説明】
【００２５】
１１  装身具本体
１２  装飾体
１３  軸受部
１４  回転軸
１５  ピン
１６  レバー
１７  バネ
１８  支持台
１９  Ｕ字溝
２０  保護覆い
２１  衣服
３１  支持台
３２  ピン
３３  球状の収納部
３４  縦溝
３５  レバー
３６  回転軸
３７  装身具本体
３８  軸受部
３９  ストッパ